(57)【特許請求の範囲】
【請求項１】
内視鏡内の管路に連通して設けられた口金内を掃除するための内視鏡の口金掃除用ブラシにおいて、
人の手又は指で把持できる大きさに形成されて電動モータが内蔵された把持部と、上記把持部の一端に突設されて上記モータによって回転駆動されるブラシ軸から放射状にブラシ毛が突設されたブラシ部とを有し、
上記ブラシ部が上記把持部に対して着脱自在であると共に、上記ブラシ軸が、その両端部のいずれの端部も上記モータの回転軸に対して着脱自在であることを特徴とする内視鏡の口金掃除用ブラシ。
【請求項２】
上記ブラシ軸が撚り線によって形成されていて、その撚り方向に上記モータによって回転駆動される請求項１記載の内視鏡の口金掃除用ブラシ。
【発明の詳細な説明】
【０００１】
【発明の属する技術分野】
この発明は、内視鏡内の管路に連通する口金内を掃除するための内視鏡の口金掃除用ブラシに関する。
【０００２】
【従来の技術】
内視鏡は一回の使用毎に洗浄、消毒を行う必要があるが、特に吸引管路内や吸引管路に通じる口金内等は、患者の体腔内から吸引された粘液や汚物等で汚れるので、まずブラッシングによってよく掃除する必要がある。そこで従来は、指先で摘むことのできる摘み部の先端にブラシが取り付けられた口金掃除用ブラシを用いて、手作業で口金内をブラッシングしていた。
【０００３】
【発明が解決しようとする課題】
しかし、そのように手先の動作でブラシを回転させる操作は非常に面倒なので、ブラッシングが不十分になって、粘液等が完全に落ちないまま次の洗浄工程に移されてしまう場合があった。
【０００４】
そこで本発明は、口金内を容易かつ十分にブラッシング掃除することのできる内視鏡の口金掃除用ブラシを提供することを目的とする。
【０００５】
【課題を解決するための手段】
上記の目的を達成するため、本発明の内視鏡の口金掃除用ブラシは、内視鏡内の管路に連通して設けられた口金内を掃除するための内視鏡の口金掃除用ブラシにおいて、人の手又は指で把持できる大きさに形成されて電動モータが内蔵された把持部と、上記把持部の一端に突設されて上記モータによって回転駆動されるブラシ軸から放射状にブラシ毛が突設されたブラシ部とを有することを特徴とする。
【０００６】
なお、上記ブラシ軸が撚り線によって形成されている場合、その撚り方向に上記モータによって回転駆動されるようにするとよい。また、上記ブラシ部が上記把持部に対して着脱自在であるとよく、上記ブラシ軸がその両端部のいずれの端部も上記モータの回転軸に対して着脱自在であるとよい。
【０００７】
【発明の実施の形態】
図面を参照して本発明の実施の形態を説明する。
図２は、内視鏡１０と掃除用ブラシ１を略示しており、内視鏡１０内には、一端が外部吸引器（図示せず）に接続されて他端が内視鏡の挿入部１１の先端に開口する吸引管路１２が設けられている。
【０００８】
そして、内視鏡の操作部１３には、吸引操作を行うための吸引操作弁１４と、処置具挿通チャンネルとしても兼用される挿入部１内の吸引管路１２内に処置具を挿入するための処置具挿入口部１５とが、吸引管路１２の途中に連通接続されている。
【０００９】
ただし、図２には、吸引操作弁１４から操作ボタンや切り換え弁等が取り外され、処置具挿入口部１５から鉗子栓が外された後の状態が図示されており、吸引操作弁１４部分と処置具挿入口部１５部分とにおいて吸引管路１２に接続された、取り外し不能の口金１４ａ，１５ａだけが残されている。
【００１０】
吸引操作弁１４部分及び処置具挿入口部１５部分の口金１４ａ，１５ａは、共に内周面が円筒状に形成されていて、外方に向かって開口して配置されている。したがって、その外側から掃除用ブラシを差し込んで口金１４ａ，１５ａの内面をブラッシングすることができる。
【００１１】
１は、吸引操作弁１４部分の口金１４ａの内周面を掃除するための口金掃除用ブラシであり、人の手又は指先で把持部２０を把持して、その先端に設けられたブラシ部３０を口金１４ａ内に差し込んで、口金１４ａ内をブラッシング掃除することができる。処置具挿入口部１５部分の口金１５ａ内も、同様にして掃除用ブラシ１でブラッシング掃除することができる。
【００１２】
図１は、口金掃除用ブラシ１が吸引操作弁１４部分の口金１４ａ内に差し込まれた使用状態を示している。口金掃除用ブラシ１の把持部２０は円筒状の外装ケース２１で囲まれて水密構造になっていて、その先側寄りの部分には、直流電流によって回転する電動モータ２２が内蔵されている。
【００１３】
外装ケース２１の後半部分は、モータ２２の電源となる乾電池４０が収容された電池室になっており、後端部に水密に取り付けられた裏蓋２３を取り外せば乾電池４０を交換することができる。
【００１４】
外装ケース２１の先側の側面には、スイッチボタン２４が突設されており、このスイッチボタン２４を押すことによって、その間だけ乾電池４０の電力がモータ２２に与えられて、モータ２２が回転する。２５は、乾電池４０に接続されたリード線。
【００１５】
なお、スイッチボタン２４はゴム等でできており、その部分は、外装ケースを水密に保つ構造になっている。２６は、スイッチボタン２４をオフ状態に戻すためのスプリングである。
【００１６】
モータ２２の回転軸２７は、把持部２０の先端中央部から先側に突出して配置されており、その根部近くの外周面に密着するようにシール用のＯリング２８が装着されている。
【００１７】
ブラシ部３０は、例えば２本のステンレス鋼線を撚り合わせて形成されたブラシ軸３１の撚りの間に、多数のブラシ毛３２を挟み込んで形成されている。したがって、ブラシ毛３２はブラシ軸３１から放射状に、ブラシ軸３１に対してほぼ直角の向きに突出している。
【００１８】
図１にはブラシ毛３２の自然状態が示されており、ブラシ部３０の太さ（即ち、ブラシ毛３２の毛先を結ぶラインの径）は口金１４ａの内径より太く形成されている。したがって実際には、ブラシ毛３２の先端部分は口金１４ａの内周面に密着してその面に沿って曲げられた状態になる。
【００１９】
ブラシ毛３２が挟み込まれた部分より先のブラシ軸３１の先端部分３１ａは、ハンダによって固められており、その寸法は図３に示される基端部分３１ｂと同じになっている。
【００２０】
ブラシ軸３１の基端部分３１ｂは、図３に示されるように、ハンダで固められていて、筒状に形成された回転軸２７内に差し込まれていて、固定ネジ２９によって回転軸２７に固定されている。
【００２１】
したがって、ブラシ部３０は固定ネジ２９を緩めて自由に付け替えて交換することができ、ブラシ部３０が痛んだ場合には新品と交換することができる。また、内径寸法の異なる口金内を掃除するとき等は、その口金に合うサイズのブラシ部３０に付け替えればよい。
【００２２】
ブラシ部３０は、この回転軸２７を介してモータ２２によって回転駆動されるが、その回転方向は、ブラシ軸３１を形成する撚り線の撚り方向、即ち回転によって撚りが締まる方向になっている。したがって、長期間使用してもブラシ軸３１の撚りが緩まず、ブラシ毛３２が抜け落ちたりしない。
【００２３】
また、ブラシ部３０が一方向にだけ回転されることによって、使用しているうちにブラシ毛３２にくせが付いて変形してしまうが、ブラシ部３０の向きを変えるように、ブラシ軸３１の先端部分３１ａを回転軸２７に連結してブラッシングに使用すれば、ブラシ毛３２が初めの使用状態と逆方向に回転されて、ブラシ毛３２の変形を直す方向に力がかかる。ブラシ部３０の向きを変えても、モータ２２の回転方向はブラシ軸３１を形成する撚り線の撚りが締まる方向になっている。
【００２４】
このように構成された口金掃除用ブラシ１は、把持部２０を手又は指で持って、ブラシ部３０を口金１４ａ，１５ａ内に差し込んでスイッチボタン２４を押せば、ブラシ毛３２の毛先が口金１４ａ，１５ａの内周面に密着した状態で軸線周りに回転するので、口金１４ａ，１５ａの内周面を極めて容易にそして満遍なく確実にブラッシングにより掃除することができる。
【００２５】
なお、本発明は上記実施例に限定されるものではなく、例えばモータ２２の電源としては乾電池４０以外の各種電源を用いることができる。また、吸引管路の口金に限らず、送気送水管路などに連通する口金内を掃除するためのブラシに適用してもよい。
【００２６】
【発明の効果】
本発明によれば、人の手又は指で把持できる大きさに形成された把持部を持ってブラシ部を口金内に差し込むだけで、ブラシ毛を電動モータによって回転駆動して、口金内を容易かつ十分にブラッシング掃除することができる。
【図面の簡単な説明】
【図１】本発明の実施の形態の口金掃除用ブラシのブラシ部が口金内に差し込まれた使用状態を示す断面図である。
【図２】本発明の実施の形態の内視鏡と口金掃除用ブラシの略示図である。
【図３】本発明の実施の形態の回転軸とブラシ部の連結部の拡大断面図である。
【符号の説明】
１  口金掃除用ブラシ
１２  吸引管路
１４ａ，１５ａ  口金
２０  把持部
２２  モータ
３０  ブラシ部
３１  ブラシ軸
３２  ブラシ毛
【図１】
0003586328.tif 000002
【図２】
0003586328.tif 000003
【図３】
0003586328.tif 000004